(57)【特許請求の範囲】
【請求項１】
露光用の開口部を有しフィルム側に配置されたベース部材と、該開口部に対向させる露光用の開口部を有しレンズ側に配置されたカバー部材との間に、各駆動部材によって走行される先羽根群と後羽根群との羽根室を構成したカメラ用フォーカルプレンシャッタにおいて、先羽根群と後羽根群の各枢軸と、前記駆動部材の各枢軸とを含む複数の軸を、前記ベース部材のレンズ側の面に光軸と略平行に立設して、前記先羽根群と前記後羽根群と前記各駆動部材とを前記各々の枢軸に対してレンズ側から組付けるようにしたことを特徴とするカメラ用フォーカルプレンシャッタ。
【請求項２】
前記各羽根群が複数枚の羽根と複数のアームで構成されており、また前記駆動部材の各枢軸にはその軸方向に二つの軸受部が設けられており、該枢軸には該羽根群のアームの一つと該駆動部材とが枢支されていることを特徴とする請求項１に記載のカメラ用フォーカルプレンシャッタ。
【請求項３】
前記ベース部材に立設された一部の軸の先端部が、レンズ取付け部材の取付け部であることを特徴とする請求項１又は２に記載のカメラ用フォーカルプレンシャッタ。
【請求項４】
前記ベース部材が合成樹脂製であり、前記各羽根群の枢軸、前記各駆動部材の枢軸、前記ベース部材と前記カバー部材との間に配置される羽根室構成用の間座、前記羽根群の光軸方向への動きを押さえる羽根押さえ部、光軸と直交する方向からの羽根室への遮光用折曲部、のうち少なくとも一つを該ベース部材と一体成形にて形成したことを特徴とする請求項１乃至３の何れかに記載のカメラ用フォーカルプレンシャッタ。
【請求項５】
前記ベース部材が合成樹脂製であり、前記複数の軸を一体成形にて形成し、該ベース部材のフィルム側の面をフィルムとの接触面とし、その面にガイドレールを形成したことを特徴とする請求項１乃至４の何れかに記載のカメラ用フォーカルプレンシャッタ。
【請求項６】
前記ベース部材が、フィルムとの接触面を有するカメラ本体部品と合成樹脂で一体成形されていることを特徴とする請求項１乃至４の何れかに記載のカメラ用フォーカルプレンシャッタ。
【発明の詳細な説明】
【０００１】
【発明の属する技術分野】
本発明は、カメラ用のフォーカルプレンシャッタに関する。
【０００２】
【従来の技術】
最近のフォーカルプレンシャッタは、各々複数枚の羽根を複数のアームで枢支して先羽根群と後羽根群とを構成し、各羽根群のアームを各駆動部材によって回動させることにより、アパーチャの開閉作動を行わせるようにしている。そして、この種のシャッタは、例えば特開平１−２８０７３９号公報に開示されているように、各駆動部材の枢軸をシャッタ地板の一方の面に立設し、各羽根群のアームの枢軸をシャッタ地板の他方の面に立設しているのが普通である。そのため、組立時には、先ず一方の面に該駆動部材や、その駆動制御を行う電磁石等を組付け、その後、該シャッタ地板を裏返して、各羽根群等を他方の面に組付けるようにしていた。
【０００３】
しかしながら、このように各部品をシャッタ地板に両面から組付けるようにすると、組立作業の自動化が難しいという見地から、実公平６−４１２２６号公報に記載のものが提案されている。このシャッタは、完成状態でレンズ側となる部品から順次フィルム側の部品を組付けて行くようにし、組立作業の自動化を容易にしたものである。そして、駆動部材を枢支した収容室と羽根群を枢支した収容室とを隔離するために補助部材（下板構造部材）を特設し、羽根群の枢軸をこの補助部材に立設するようにしている。そのため、この補助部材が駆動部材の枢軸の先端を受けているとはいえ、駆動部材の枢軸と羽根群の枢軸とは別部材に立設されていることになる。
【０００４】
【発明が解決しようとする課題】
ところで、駆動部材の枢軸と羽根群の枢軸との間には、厳しい位置精度が要求されることは周知である。しかるに、上記の実公平６−４１２２６号公報に記載のものは、駆動部材の枢軸と羽根群の枢軸とが別部材に立設されているため、両部材の加工精度を一段と良くしなければならず、また、両部材同志の組立精度も良くしなければならないという問題点がある。更に、上記の補助部材を特設することから部品点数が多くなるという問題点がある。更には、電磁石等の端子をプリント配線板に接続するようにする場合には、結局はシャッタ地板（台板構造部材）を裏返して半田付けしなければならないという問題点がある。
【０００５】
本発明は、このような問題点を解決するためになされたものであり、その目的とするところは、高精度な作動特性を有するシャッタ開閉機構を、従来に比べて特に組立精度に配慮することなく、容易に一方向から組付けられるようにしたカメラ用フォーカルプレンシャッタを提供することである。
【０００６】
【課題を解決するための手段】
上記の目的を達成するために、本発明は、露光用の開口部を有しフィルム側に配置されたベース部材と、該開口部に対向させる露光用の開口部を有しレンズ側に配置されたカバー部材との間に、各駆動部材によって走行される先羽根群と後羽根群との羽根室を構成したカメラ用フォーカルプレンシャッタにおいて、先羽根群と後羽根群の各枢軸と、前記駆動部材の各枢軸とを含む複数の軸を、前記ベース部材のレンズ側の面に光軸と略平行に立設して、前記先羽根群と前記後羽根群と前記各駆動部材とを前記各々の枢軸に対してレンズ側から組付けるようにする。
【０００７】
また、本発明のカメラ用フォーカルプレンシャッタは、好ましくは、前記各羽根群が複数枚の羽根と複数のアームで構成されており、また前記駆動部材の各枢軸にはその軸方向に二つの軸受部が設けられており、該枢軸には該羽根群のアームの一つと該駆動部材とが枢支されているようにする。
また、本発明のカメラ用フォーカルプレンシャッタは、好ましくは、前記ベース部材に立設された一部の軸の先端部が、レンズ取付け部材の取付け部であるようにする。
【０００８】
また、本発明のカメラ用フォーカルプレンシャッタは、好ましくは、前記ベース部材が合成樹脂製であり、前記各羽根群の枢軸、前記各駆動部材の枢軸、前記ベース部材と前記カバー部材との間に配置される羽根室構成用の間座、前記羽根群の光軸方向への動きを押さえる羽根押さえ板、光軸と直交する方向からの羽根室への遮光用折曲部、のうち少なくとも一つを該ベース部材と一体成形にて形成するようにする。
【０００９】
更に、本発明のカメラ用フォーカルプレンシャッタは、好ましくは、前記ベース部材が合成樹脂製であり、前記複数の軸を一体成形にて形成し、該ベース部材のフィルム側の面をフィルムとの接触面とし、その面にガイドレールを形成するようにする。
更にまた、本発明のカメラ用フォーカルプレンシャッタは、好ましくは、前記ベース部材が、フィルムとの接触面を有するカメラ本体部品と合成樹脂で一体成形されているようにする。
【００１０】
【発明の実施の形態】
本発明の実施の形態を、各々図１乃至図５に示した五つの実施例について説明する。図１乃至図４は各実施例の分解斜視図であり、図５はシャッタユニットとカメラボデーとの組立構成を示す説明図である。また、各実施例の説明に用いられる符号は、実質的に同じ部材，同じ部位に同じ符号を用いている。
【００１１】
第１実施例
先ず、図１によって本発明の第１実施例を説明する。カメラに組み込まれたとき、一番フィルム面側に配置されるベース基板１は合成樹脂製であって、略中央部に露光用の開口部１ａを有している。このベース基板１には、光軸に平行に、長い二つの軸１ｂ，１ｃと、短い二つの軸１ｄ，１ｅと、四つ（一つは先羽根群の陰にかくれている）の軸付きの間座１ｆとが、一体成形によって設けられている。そして、軸１ｂ，１ｃは、三つの段部を形成した直径の異なる四つの軸部からなり、一番細い軸部の先端には図面上明らかではないがネジ穴が形成されている。
【００１２】
このベース基板１には、更に、四つの可撓性を有する爪１ｇと、肉厚に形成した羽根押さえ部１ｈと、遮光用折曲部１ｉとが一体成形されている。羽根押さえ部１ｈは、先羽根群を構成している各羽根の先端が光軸方向へ移動し、羽根間の密着性が損なわれるのを防止するために、該移動を押さえる役目をしており、これにより従来この位置に配置されていた後述するような羽根押さえ板を設けずに済むようにしている。また、遮光用折曲部１ｉは、光軸に対して直交するようにして図の右上方から入射する光を遮るためのものである。図の右上方はカメラの上側になり、一眼レフカメラにおいてファインダ系からの漏光が入射してくる方向に当たっている。
【００１３】
先羽根群２は、４枚の羽根２ａ，２ｂ，２ｃ，２ｄと、それらを枢支する二つのアーム２ｅ，２ｆから構成されている。アーム２ｅには二つの孔２ｅ1 ，２ｅ2 が形成され、アーム２ｆには二つの孔２ｆ1 ，２ｆ2 が形成されている。中間板３には、略中央部に露光用の開口部３ａが形成され、四隅には孔３ｂが形成されているが、図においては夫々の一部が後羽根群の陰に隠れている。後羽根群４は、４枚の羽根４ａ，４ｂ，４ｃ，４ｄと、それらを枢支する二つのアーム４ｅ，４ｆから構成されている。アーム４ｅには二つの孔４ｅ1 ，４ｅ2 が形成され、アーム４ｆには二つの孔４ｆ1 ，４ｆ2 が形成されている。
【００１４】
羽根押さえ板５は、二つの孔５ａを有しており、後羽根群４を構成している各羽根４ａ，４ｂ，４ｃ，４ｄの先端が光軸方向へ移動し、羽根間の密着性が損なわれるのを防止するために、該移動を押さえる役目をしている。カバー基板６は合成樹脂製であって、略中央部に露光用の開口部６ａを有している。このカバー基板６には、光軸に平行な軸付きの台座６ｂと、孔付きの台座６ｃ，６ｄとが、一体成形によって設けられている。また、略四隅には係合部６ｅと孔６ｆとが夫々形成され、更にその外に三つの孔６ｇ，６ｈ，６ｉと二つの弧状孔６ｊ，６ｋが形成されている。
【００１５】
先羽根駆動部材７と後羽根駆動部材８は、夫々、筒部７ａ，８ａ、駆動ピン７ｂ，８ｂ、鉄片取付部７ｃ，８ｃを有している。鉄片取付部７ｃ，８ｃには電磁石に吸引保持される鉄片が取り付けられるが、その構成は周知であり且つ特に明示することもないので図示を省略している。駆動バネ９，１０は、夫々一端を駆動部材７，８に掛け、該駆動部材７，８を時計方向へ付勢するコイルバネである。また、ラチェット筒１１，１２には夫々駆動バネ９，１０の他端が掛けられ、製作時にラチェット筒１１，１２を回転させることによって、ばね力を調整するようになっている。駆動部材７，８とラチェット筒１１，１２に駆動バネ９，１０を掛けるための構成は周知であるため詳細な説明を省略する。
【００１６】
セット部材１３は、駆動部材７，８を反時計方向へ回転させてシャッタをチャージさせる部材であり、筒部１３ａと、各駆動部材７，８に係合する押動部１３ｂ，１３ｃを有していて、組立状態においては図示していないバネによって反時計方向へ付勢されるようになっている。２箇所で折り曲げられた取付け板１４には、その下段部に孔１４ａが、上段部に孔１４ｂ，１４ｃが形成されている。また、下段部には四つ一組の小さい孔群が二組形成され、上段部には下方への折曲部１４ｆが形成されている。この折曲部１４ｆには、明示されていないが、左右に爪部が形成されており、それらの爪部はラチェット筒１１，１２の外周に形成されているラチェット歯に係合する。
【００１７】
電磁石１５，１６は、コイルを巻回した略Ｕ字形の鉄心１５ａ，１６ａを枠体１５ｂ，１６ｂに取り付けたものであり、この枠体１５ｂ，１６ｂには、上方に各々二つの端子１５ｂ1 ，１６ｂ1 と一つの位置決めピン１５ｂ2 ，１６ｂ2 が設けられ、下方には各々４本一組の位置決めピン１５ｂ3 ，１６ｂ3 が設けられている。プリント配線板１７には各二つ一組の孔１７ａ，１７ｂが形成され、その外にも孔１７ｃ，１７ｄ，１７ｅ，１７ｆが形成されている。ビス１８，１９は、これまで説明した全ての部品をベース基板１に順次組付けた後、最後に止めるためのものである。
【００１８】
次に、上記した各部品の組立て方を説明する。先ず、ベース基板１に先羽根群２を組付けるが、その場合にはアーム２ｅの孔２ｅ1 を軸１ｂの一番太い軸部に、またアーム２ｆの孔２ｆ1 を軸１ｄに各々回転可能に嵌合させる。アーム２ｆの孔２ｆ2 は図示していない周知のバネ掛け用の孔であり、このバネは、先羽根群２の各枢着部における嵌合公差（ガタ）に影響されず、先羽根群２の走行が安定して行われるようにするために、アーム２ｆを偏倚させるためのものである。次に、中間板３の四隅の孔３ｂを、間座１ｆに嵌め込む。
【００１９】
その後、後羽根群４を組付けるが、そのときには先羽根群２の場合と同様にして、アーム４ｅの孔４ｅ1 を軸１ｃの一番太い軸部に、またアーム４ｆの孔４ｆ1 を軸１ｅに嵌合させる。孔４ｆ2 の存在理由は上記した孔２ｆ2 の場合と同じである。後羽根群４のための羽根押さえ板５は、その二つの孔５ａを、ベース基板１の開口部１ａの右側にある二つの間座１ｆに嵌め込む。カバー基板６の組付けは、台座６ｃ，６ｄの孔を軸１ｂ，１ｃの二番目に太い軸部に、また孔６ｇ，６ｈを軸１ｄ，１ｅの細い軸部に、更に四つの孔６ｆを間座１ｆの軸部に嵌め込み、最後に四つの爪１ｇを係合部６ｅに係合させベース基板１に止めるようにする。孔６ｉはカメラ本体への取付け孔である。
【００２０】
先羽根駆動部材７の組付けは、筒部７ａを軸１ｂの三番目に太い軸部に回転可能に嵌め込み、駆動ピン７ｂを弧状孔６ｊを貫通させてアーム２ｅの孔２ｅ2 に嵌合させる。同様にして、後羽根駆動部材８は、筒部８ａを軸１ｃに嵌め込み、駆動ピン８ｂを弧状孔６ｋを貫通させてアーム４ｅの孔４ｅ2 に嵌合させる。駆動バネ９，１０を、駆動部材７，８の各筒部７ａ，８ａに巻装した後、ラチェット筒１１，１２を上記した軸１ｂ，１ｃの三番目に太い軸部に回転可能に嵌め込む。他方、セット部材１３の筒部１３ａを台座６ｂの軸部に嵌合させる。
【００２１】
次に、取付け板１４を組付けるには、孔１４ａを台座６ｂの軸部に、また孔１４ｂ，１４ｃを夫々軸１ｂ，１ｃの一番細い軸部に嵌合させる。そして、電磁石１５，１６の各四つの位置決めピン１５ｂ3，１６ｂ3を、取付け板１４の孔群１４ｄ，１４ｅに嵌め込む。その後、プリント配線板１７を組付けるが、その組付け方は、夫々二つの孔１７ａ，１７ｂを電磁石１５，１６の端子１５ｂ1，１６ｂ1に、また孔１７ｃ，１７ｄを電磁石１５，１６の位置決めピン１５ｂ2，１６ｂ2に、更に孔１７ｅ,１７ｆを軸１ｂ，１ｃに嵌め込む。そして、最後に、軸１ｂ，１ｃの先端に形成された図示していないネジ穴に、ビス１８，１９を螺合させて止める。
【００２２】
このようにして、全部品が組付けられた後、端子１５ｂ1，１６ｂ1をプリント配線板１７に半田付けし、駆動バネ９，１０の調整を行う。この調整は、取付け板１４の折曲部１４ｆに形成された図示していない爪部を夫々ラチェット筒１１，１２から外し、ラチェット筒１１，１２を回転させ、所期のばね力の得られる位置で該爪部を夫々ラチェット筒１１，１２に噛合させるようにして行う。
上記のように、本実施例によれば、プリント配線板１７も含めて全ての部品を同一方向から組付けることができ、しかも重要な軸は全てベース基板１に立設しているので部品間の調整が殆ど不要であり、組立作業が極めて容易となっている。
【００２３】
尚、上記の実施例の露光作動は、当業者であれば極めて容易に理解できるところであるが、簡単に説明をしておく。セット部材１３を時計方向へ回転させると、駆動部材７，８に設けられた図示していない被押動部を押動部１３ｂ，１３ｃで押し、駆動部材７，８を反時計方向へ回転させる。駆動部材７，８は駆動バネ９，１０を緊張させ、鉄片取付部７ｃ，８ｃに取り付けられた図示していない鉄片が電磁石１５，１６の鉄心１５ａ，１６ａに接触した位置で停止する。この状態がシャッタのチャージ状態であり、先羽根群２は展開状態となり、開口部１ａ，３ａ，６ａを覆っており、後羽根群４は重畳状態となって、開口部１ａ，３ａ，６ａ外で格納状態となっている。
【００２４】
カメラのシャッターボタンを押すと、最初に電磁石１５，１６のコイルに通電され、駆動部材７，８が磁気的に吸着保持される。その段階で、セット部材１３は駆動部材７，８から離れ図示していないバネによって退避位置に復帰する。次に、制御回路によって順次電磁石１５，１６に対する通電が断たれ、先ず先羽根駆動部材７が駆動バネ９によって、次に後羽根駆動部材８が駆動バネ１０によって夫々時計方向へ回転し、所定のスリットを形成して露光走行を行う。そして、最後に、先羽根群２は重畳状態となって開口部１ａ，３ａ，６ａ外で格納状態となり、また後羽根群４は展開状態となって開口部１ａ，３ａ，６ａを覆い、露光作動を終了する。
【００２５】
第２実施例
次に、図２を用いて本発明の第２実施例を説明する。既に述べたように、本実施例については、第１実施例と実質的に同じ部品、同じ部位には同じ符号を付け、異なる点についてのみ説明する。本実施例のベース基板１にも四つ（一つは先羽根群２の陰にかくれている）の軸付きの間座１ｆが一体成形によって形成されているが、そのうち軸１ｂに一番近い位置にある間座１ｆの軸部の先端には、図面上明らかではないがネジ穴が形成されている。また、本実施例においては、第１実施例において軸１ｂ，１ｃの近傍に形成されていた二つの爪１ｇが形成されておらず、開口部１ａを挟んで反対側に二つ形成されているだけである。
【００２６】
先羽根群２の構成は、第１実施例の場合と全く同じである。後羽根群４の構成も、第１実施例の場合と全く同じである。また、本実施例においては、第１実施例における羽根押さえ板５を設けていない。本実施例においては、該羽根押さえ板５に代えて、カバー基板６に、ベース基板１の羽根押さえ部１ｈと同様な肉厚の羽根押さえ部６ｍを形成している。
【００２７】
本実施例においては、カバー基板６に、第１実施例における取付け板１４を設けなくて済むような工夫がなされている。即ち、カバー基板６は、開口部６ａのセット部材１３を枢着する側が一体成形によって二段構成になっており、その上段部に二つの孔６ｎ，６ｐが形成され、またラチェット筒１１，１２に噛合する爪部６ｑ，６ｒが形成されている。また、軸付きの台座６ｂは、その軸部が長く形成され、その先端部にネジ穴が形成されている。従って、セット部材１３の筒部１３ａも長くなっている。駆動部材７，８には、明示されていないが、下方にも筒部７ａ，８ａと同じような筒部が、同心的且つ所定の長さで設けられている。
【００２８】
駆動バネ９，１０と、ラチェット筒１１，１２とは、第１実施例の場合と全く同じである。電磁石１５，１６は、枠体１５ｂ，１６ｂの形状が第１実施例のものと異なっている。即ち、下方の位置決めピンは設けられておらず、その代わり上方の位置決めピン１５ｂ2 ，１６ｂ2 が３本に増えている。そのため、プリント配線板１７には、該位置決めピン１５ｂ2 ，１６ｂ2 を嵌め込むために各々三つの孔１７ｇ，１７ｈが形成されている。このプリント配線板１７には、その外、孔１７ｉが形成されている。更に、本実施例においては、新たにビス２０，２１が必要となる。
【００２９】
次に、組立て方を説明する。ベース基板１に対する先羽根群２、中間板３、後羽根群４の組付け方は、第１実施例の場合と同じである。その後、本実施例においてはカバー基板６を組付ける前に、各駆動部材７，８、駆動バネ９，１０、ラチェット筒１１，１２を軸１ｂ，１ｃに組付ける。その場合、上記したように駆動部材７，８の下側に設けられた図示していない筒部が、軸１ｂ，１ｃの二番目に太い軸部に嵌合する。そして、該筒部の先端面の一部は、アーム２ｅ，４ｅが図において上方へ大きく移動しないように押さえることになる。従って、該筒部に代えて筒状の間座を嵌合させるようにしてもよい。尚、この状態においては、各駆動部材７，８の本体部の厚さを含む筒部７ａ，８ａは、第１実施例の場合と同様に軸１ｂ，１ｃの三番目に太い軸部に嵌合している。
【００３０】
この状態でカバー基板６を組付ける。その場合、孔６ｎ，６ｐを軸１ｂ，１ｃの一番細い軸部に、また四つの孔６ｆを間座１ｆの軸部に嵌め込み、その後、二つの爪１ｇを各係合部６ｅに係合させると共に、軸部の先端にネジ穴を形成した間座１ｆにビス２０を螺合させ、ベース基板１に止めるようにする。次に、セット部材１３の筒部１３ａを台座６ｂの軸部に嵌合させる。尚、この構成においては、アーム２ｆ，４ｆに対する軸１ｄ，１ｅからの抜け止め手段を設けていないが、アーム２ｅ，４ｅが駆動部材７，８によって軸方向への移動を押さえられていることと、各羽根群２，４が大きな平面的構成体であることから、抜ける心配は全くない。必要ならば、Ｅリングを取り付けるようにしてもよい。
【００３１】
本実施例においては、プリント配線板１７に予め電磁石１５，１６を組付けておく。その組付け方は、電磁石１５，１６の端子１５ｂ1，１６ｂ1を夫々二つの孔１７ａ，１７ｂに、また電磁石１５，１６の三つの位置決めピン１５ｂ2，１６ｂ2を夫々三つの孔１７ｇ，１７ｈに嵌め込み、端子１５ｂ1，１６ｂ1をプリント配線板１７に半田付けする。その後、プリント配線板１７の孔１７ｅ，１７ｆを軸１ｂ，１ｃに嵌め込み、孔１７ｉを台座６ｂの軸部に嵌め込む。そして、最後に、軸１ｂ，１ｃ及び台座６ｂの軸部の各先端に形成された図示していないネジ穴に、ビス１８，１９，２１を螺合させて止める。
【００３２】
このように、本実施例によれば、全ての部品を同一方向から組付けることができ、しかも主な軸は全てベース基板１に立設しているので部品間の調整が殆ど不要であり、組立作業が極めて容易となっている。
尚、本実施例の露光作動は、第１実施例の場合と同じであるため、その説明を省略する。
【００３３】
第３実施例
次に、図３を用いて本発明の第３実施例を説明する。本実施例については、第１実施例及び第２実施例の場合と実質的に同じ部品、同じ部位には同じ符号を付け、主に異なる点についてのみ説明する。本実施例のベース基板１は、軸１ｂ，１ｃが太さの異なる三つの軸部を有している以外は、第２実施例におけるベース基板１と同じである。また、中間板３は第１実施例と全く同じである。本実施例が第１実施例及び第２実施例の場合と大きく異なる点は、先羽根群２と後羽根群４の構成にある。
【００３４】
本実施例の先羽根群２と後羽根群４は、各々アーム２ｅ，４ｅが、第１実施例及び第２実施例における各駆動部材７，８を兼用している点に特徴がある。即ち、各アーム２ｅ，４ｅは合成樹脂製であって、各羽根２ａ〜２ｄ，４ａ〜４ｄとの枢着部の厚さが順次変わるように形成されており、しかも軸１ｂ，１ｃに回転可能に嵌合する筒部２ｅ3 ，４ｅ3 が形成され且つ鉄片取付部２ｅ4 ，４ｅ4 が形成されている。
【００３５】
本実施例のカバー基板６は、第２実施例において、孔６ｎ，６ｐ、爪部６ｑ，６ｒを形成している上段部を設けず、且つ台座６ｂを第１実施例の台座６ｂと同じにした以外は第２実施例のカバー基板６と略同じである。また、駆動バネ９，１０、ラチェット筒１１，１２、セット部材１３、取付け板１４、電磁石１５，１６、プリント配線板１７の各形状は、第１実施例に示した各部材の形状と全く同じであるため、細部の説明は省略する。
【００３６】
次に、本実施例の組立て方を簡単に説明する。ベース基板１に対する先羽根群２、中間板３、後羽根群４の組付け方は、第１実施例の場合と殆ど同じである。異なる点は、本実施例においてはアーム２ｅ，４ｅの筒部２ｅ3 ，４ｅ3 を軸１ｂ，１ｃに嵌合させる点である。その後、カバー基板６を組付ける。その場合、四つの孔６ｆを間座１ｆの軸部に嵌め込み、その後、二つの爪１ｇを各係合部６ｅに係合させると共に、軸部の先端にネジ穴を形成している間座１ｆにビス２０を螺合させ、ベース基板１に止めるようにする。尚、アーム２ｆ，４ｆの抜け止めについては第２実施例において説明した通りであり、むしろ、アーム２ｅ，４ｅに筒部２ｅ3 ，４ｅ3 が設けられた関係で本実施例の方が有利といえる。
【００３７】
その後、台座６ｂの軸部にセット部材１３を回転可能に取り付け、また、ベース基板１の軸１ｂ，１ｃに駆動バネ９，１０、ラチェット筒１１，１２、取付け板１４を取り付け、更に、プリント配線板１７をビス１８，１９によって軸１ｂ，１ｃに取り付ける前に電磁石１５，１６を取付け板１４に取り付けるが、それらの組付け方は第１実施例の場合と同じであるから、説明を省略する。
【００３８】
このように、本実施例によれば、全ての部品を同一方向から組付けることができ、しかも主な軸は全てベース基板１に立設しているので部品間の調整が殆ど不要であり、組立作業が極めて容易となっている。
尚、本実施例の露光作動は、鉄片取付部２ｅ4 ４ｅ4 に取り付けられた図示していない鉄片部材を、電磁石１５，１６の鉄心１５ａ，１６ａに吸着保持させるようにする以外は、第１実施例及び第２実施例の場合と同じであるため、その説明を省略する。
【００３９】
第４実施例
次に、図４を用いて本発明の第４実施例を説明する。本実施例においても、上記各実施例の場合と実質的に同じ部品、同じ部位には同じ符号を付け、主に異なる点についてのみ説明するが、本実施例は上記各実施例のようにシャッタユニットとして組立てる場合ではなく、カメラ本体側の部品と共に組立てるようにした場合の実施例であるため、図４においては上記の各実施例に示した一部の部品の図示を省略し、且つ図示した部品もこれまで示したものと実質的に同等のものには細部の形状を簡略化して示してある。
【００４０】
カメラボデー２２は合成樹脂製であり、露光用の開口部２２ａが形成されている。このカメラボデー２２には、光軸に平行に、長い三つの軸２２ｂ，２２ｃ，２２ｄと、短い二つの軸２２ｅ，２２ｆと、三つの軸付きの間座２２ｇとが、一体成形によって設けられている。そして、軸２２ｂ，２２ｃは直径の異なる五つの軸部からなり、一番細い軸部の先端には図面上明らかではないがネジ穴が形成されている。また、軸２２ｄは直径の異なる二つの軸部からなり、細い軸部の先端には図面上明らかではないがネジ穴が形成されている。三つの軸付きの間座２２ｇの先端にも、夫々図面上明らかではないがネジ穴が形成されている。更に、羽根押さえ部２２ｈと、遮光用折曲部２２ｉも一体成形されている。
【００４１】
先羽根群２は、３枚の羽根２ａ，２ｂ，２ｃと、それらを枢支する二つのアーム２ｅ，２ｆから構成されている。アーム２ｅには二つの孔２ｅ1 ，２ｅ2 が形成され、アーム２ｆには孔２ｆ1 が形成されている。中間板３は、第３実施例のものと同じである。後羽根群４は、３枚の羽根４ａ，４ｂ，４ｃと、それらを枢支する二つのアーム４ｅ，４ｆから構成されている。アーム４ｅには二つの孔４ｅ1 ，４ｅ2 が形成され、アーム４ｆには孔４ｆ1 が形成されている。
【００４２】
本実施例のカバー基板６は、第１実施例のものと可なり似ている。異なる点は、四つの係合部６ｅと、孔６ｉとが形成されていないことと、逆に羽根押さえ板５に代わる羽根押さえ部６ｍが形成されていることである。その他、一部、形状的に異なる部位もあるが、実質的には第１実施例のものと同じである。ところで、本実施例においても第１実施例のものと同じ駆動部材７，８、駆動バネ９，１０、ラチェット筒１１，１２、セット部材１３、取付け板１４、電磁石１５，１６、プリント配線板１７が設けられているが、それらの殆どは図示を省略されており、駆動部材７，８とセット部材１３のみが図示されている。
【００４３】
更に、本実施例においては、カメラ本体側の前板２３をシャッタと共に取り付けるようになっている。この前板２３は、通常、レンズユニットを取り付けるものであり、そのマウント部２３ａが形成されている。また、この前板２３は、ミラーボックス２３ｂと一体化することが多く、本実施例においてはその場合を示してある。その外、前板２３には取付け用の三つの孔２３ｃが形成されている。更に、取付け用のビス２４，２５，２６が新たに用意されている。
【００４４】
次に、本実施例の組立て方を簡単に説明する。カメラボデー２２に対する先羽根群２の組付け方は、第１実施例の場合と同じである。中間板３は、四つの孔３ｂを、三つの間座２２ｇと軸２２ｄに嵌め込むようにする。後羽根群４の組付け方は、第１実施例の場合と同じである。カバー基板６は、四つの孔６ｆを三つの間座２２ｇの軸部と軸２２ｄに嵌め込み、また、孔６ｃ，６ｄを軸２２ｂ，２２ｃに、孔６ｇ，６ｈを軸２２ｅ，２２ｆに嵌め込む。そして、間座２２ｇの軸部に形成されたネジ穴にビス２０，２５，２６を螺合させ、カメラボデー２２に止めるようにする。
【００４５】
その後、第１実施例の場合と同じように、台座６ｂの軸部にセット部材１３を回転可能に取り付け、また、軸２２ｂ，２２ｃの三番目に太い軸部に駆動部材７，８、駆動バネ９，１０、ラチェット筒１１，１２を嵌め込む。次に、取付け板１４を軸２２ｂ，２２ｃの四番目に太い軸部に嵌め込み、そこに電磁石１５，１６を取付ける。更に、プリント配線板１７を嵌め込んだ後、前板２３を軸２２ｂ，２２ｃ，２２ｄの一番細い軸部に嵌め込んで、各軸部のネジ穴にビス１８，１９，２４を螺合させ、組付けを終了する。
【００４６】
このように、本実施例によれば、全ての部品を同一方向からカメラボデー２２に組付けることができ、しかも主な軸は全てベースとなるカメラボデー２２に立設しているので部品間の調整が殆ど不要であり、組立作業が極めて容易且つ効率的に行える。
尚、本実施例の露光作動は、上記した各実施例の場合と実質的に同じであるため、その説明を省略する。
【００４７】
第５実施例
最後に、図５を用いて本発明の第５実施例を説明する。本実施例においては、カメラボデー２２に、第４実施例における開口部２２ａよりも大きな開口部２２ｂが形成されている。この開口部２２ｂに、第１乃至第３実施例のシャッタユニットのベース基板１が嵌め込まれ、カメラボデー２２に取り付けられることになる。従って、本実施例においては、ベース基板１が従来のカメラ本体側の部品の一部を兼用したことになる。そのため、ベース基板１のフィルム側の面にはフィルムの摺接する２本のレール部Ｌが形成されている。
【００４８】
また、この図では、上記の各実施例で説明したシャッタの開閉機構部をブロックで示しており、符号Ｍを付けてある。更に、本実施例においては、ベース基板１が従来のカメラボデーの一部を兼用することから、カバー基板６に形成される取付け用の孔６ｉが複数箇所に設けられている。
このような本実施例においても、全ての部品を同一方向から組付けることができ、しかも主な軸は全てベース基板１に立設しているので部品間の調整が殆ど不要であり、組立作業が極めて容易且つ効率的に行える。
【００４９】
尚、上記の各実施例においては、駆動部材７，８とラチェット筒１１，１２とを、軸１ｂ，１ｃの同じ太さの軸部に嵌合させるものとして説明したが、実際にはもう一つ異なる太さの軸部を設け、別々の軸部に嵌合させるのが普通である。図面が見にくくなるため、便宜上、上記のように説明した。
【００５０】
【発明の効果】
以上のように、本発明によれば、シャッタのベース基板やカメラボデーのようなベース部材に対して、全ての部品を同一方向から組付けることができ、しかも主な軸は全てベース部材に立設しているので、部品間の調整が殆ど不要であり、しかも部品点数も従来と変わりなく、組立作業が極めて容易且つ効率的に行えるという特徴がある。
【図面の簡単な説明】
【図１】本発明の第１実施例の分解斜視図である。
【図２】本発明の第２実施例の分解斜視図である。
【図３】本発明の第３実施例の分解斜視図である。
【図４】本発明の第４実施例の分解斜視図である。
【図５】本発明の第５実施例の説明図であり、シャッタユニットとカメラボデーとの組立構成を示している。
【符号の説明】
１                                ベース基板
１ｂ，１ｃ，１ｄ，１ｅ，２２ｂ，２２ｃ，２２ｄ，２２ｅ，２２ｆ    軸
１ｆ，２２ｇ                      軸付き間座
１ｇ                              爪
２                                先羽根群
２ｅ，２ｆ，４ｅ，４ｆ            アーム
２ｅ1 ，２ｆ1 ，３ｂ，４ｅ1 ，４ｆ1 ，５ａ，６ｆ，６ｇ，６ｎ，６ｐ，１４ａ，１４ｂ，１４ｃ，１７ａ，１７ｂ，１７ｃ，１７ｄ，１７ｅ，１７ｆ，１７ｇ，１７ｈ，１７ｉ，２３ｃ    孔
３                                中間板
４                                後羽根群
５                                後羽根押さえ板
６                                カバー基板
６ｂ，６ｃ，６ｄ                  軸付き台座
６ｅ                              係合部
７                                先羽根駆動部材
２ｅ3 ，４ｅ3 ，７ａ，８ａ，１３ａ    筒部
８                                後羽根駆動部材
９，１０                          駆動バネ
１１，１２                        ラチェット筒
１３                              セット部材
１４                              取付け板
１５，１６                        電磁石
１５ｂ1 ，１６ｂ1                 端子
１５ｂ2 ，１５ｂ3 ，１６ｂ2 ，１６ｂ3     位置決めピン
１７                              プリント配線板
１８，１９，２０，２１，２４，２５，２６    ビス
２２                              カメラボデー
２３                              前板
【図１】
0003653321.tif 000002
【図２】
0003653321.tif 000003
【図３】
0003653321.tif 000004
【図４】
0003653321.tif 000005
【図５】
0003653321.tif 000006